(57)【要約】【課題】かご内専用運転中に、かごドアと乗場ドアが自動的に開くことをかご内の運転者に阻止させることができるエレベータの運転装置を提供すること。【解決手段】エレベータ制御装置５０においてドア制御部５３はドア通常制御部５３ａとして機能することで、かご内専用運転中において、乗かご２を乗場３０に停止させたときにかごドア１０と乗場ドア３１を自動的に開閉させる。また、ドア制御部５３は、かごドア１０と乗場ドア３１を自動的に開く前からかご内操作盤２０におけるドア閉維持ボタンスイッチ２５の押圧操作または出発ボタンスイッチ２６の押圧操作が行われた状態であることを条件にドア特殊制御部５３ｂとして機能することで、かごドア１０と乗場ドア３１を自動的に開くことを中止して閉まった状態を維持する。【選択図】図１
2014201427.tif 000002
【特許請求の範囲】
【請求項１】
乗かごの乗場に設けられた乗場操作盤と、乗かご内に設けられたかご内操作盤と、前記乗場操作盤の操作による乗場呼び、および、前記かご内操作盤の操作によるかご呼びに応じて乗かごの走行と停止を行う自動運転と、前記乗場操作盤の操作による乗場呼びを無効化した状態を維持しつつ、前記かご内操作盤の操作によるかご呼びに応じて乗かごの走行と停止を行うかご内専用運転とを切り換えて行うことが可能なエレベータ制御装置とを備え、前記エレベータ制御装置は、前記自動運転中および前記かご内専用運転中の何れにおいても、乗かごを乗場に停止させたときにかごドアと乗場ドアを自動的に開閉させるエレベータの運転装置において、
かごドアと乗場ドアを自動的に開く前から前記かご内操作盤の所定操作が行われた状態が維持されていることを条件に、かごドアと乗場ドアを自動的に開くことを中止し、それらかごドアと乗場ドアの閉まった状態を維持するドア制御部を有する
ことを特徴とするエレベータの運転装置。
【請求項２】
請求項１に記載のエレベータの運転装置において、
前記かご内操作盤は、前記かご内専用運転中に限って使用されるドア閉維持入力操作部を有し、前記所定操作は前記ドア閉維持入力操作部の操作である
ことを特徴とするエレベータの運転装置。
【請求項３】
請求項１または２に記載のエレベータの運転装置において、
前記かご内操作盤は、前記かご内専用運転中に限って使用される出発入力操作部を有し、前記所定操作は前記出発入力操作部の操作であり、
前記エレベータ制御装置は、前記かごドアと前記乗場ドアが閉まった状態であり、かつ、前記かご内操作盤の操作によりかご呼びが行われた状態において、前記出発入力操作部が操作された場合に乗かごの走行を開始する
ことを特徴とするエレベータの運転装置。
【発明の詳細な説明】
【技術分野】
【０００１】
本発明は、かご内操作盤の操作に応じて乗かごを運転するエレベータの運転装置に関する。
【背景技術】
【０００２】
エレベータにおいて、乗場には、乗場呼びボタンスイッチを有する乗場操作盤が設けられていて、乗かご内には、行先階登録ボタンスイッチと、ドア開ボタンスイッチと、ドア閉ボタンスイッチとを有するかご内操作盤が設けられている。
【０００３】
エレベータの運転方式としては自動運転がある。この自動運転によって、乗場における乗場呼びボタンスイッチの押圧操作による乗場呼びと、乗かご内における行先階登録ボタンスイッチの押圧操作によるかご呼びとに応じて、乗かごの走行と停止が行われる。また、自動運転中において、乗場呼びまたはかご呼びに基づいて登録された階の乗場に乗かごが停止したときには、かごドアと乗場ドアが自動的に開閉される。以下適宜、乗場呼びに基づき登録された階を「乗場呼び登録階」といい、かご呼びに基づいて登録された階を「かご呼び登録階」という。
【０００４】
自動運転中、乗かごはかご呼び登録階に向かっている途中で、そのかご呼び登録階よりも後に登録された乗場呼び登録階に停止する場合がある。このため、乗かごを目的階以外の階に停止させることなくその目的階に向かわせる必要がある場合、例えば、建物の複数階に対する集配を効率よく行う場合、引っ越し時に多数の荷物の搬入を効率よく行う場合、要人を秘密裏に目的階に運び送る場合などには、自動運転は不向きである。
【０００５】
従来のエレベータには、乗かごを目的階以外の階に停止させることなくその目的階に向かわせることができように自動運転からかご内専用運転への切換えが可能に構成されたものがある。かご内専用運転によって、乗場呼びが無効化する状態を維持しつつ、かご呼びに応じて乗かごの走行と停止が行われる。かご内専用運転中において、かご呼び登録階の乗場に乗かごが停止したときには、かごドアと乗場ドアが自動的に開閉する。
【０００６】
かご内専用運転際にエレベータの運転者が目的階を間違った場合、その間違った目的階の乗場に乗かごが停止したときにかごドアと乗場ドアは自動的に開くことになる。乗かごが乗場に停止した状態においてかごドアと乗場ドアは、ドア開ボタンスイッチの操作に応じて開き、ドア閉ボタンスイッチの操作に応じて閉まるのだが、かごドアと乗場ドアが開く方向への動作の開始から全開されるまでの間は、ドア閉ボタンスイッチの操作が行われても、かごドアと乗場ドアは閉まる方向に反転しない。このため、間違った目的階の乗場に乗かごが停止した後、運転者がドア閉ボタンスイッチを操作してかごドアと乗場ドアを閉めるためには、それらかごドアと乗場ドアが全開されるのを待たなければならない。
【０００７】
特許文献１には、エレベータの防犯運転装置が開示されている。このエレベータの防犯運転装置は、途中の階のホール呼び（乗場呼び）には応答せず、かごを目的階まで直行するようにエレベータを運転するものである。
【先行技術文献】
【特許文献】
【０００８】
【特許文献１】特開昭６１−１０１３８１号公報
【発明の概要】
【発明が解決しようとする課題】
【０００９】
前述のように、運転者がドア閉ボタンスイッチを操作して乗場ドアとかごドアを閉めるためには、それらかごドアと乗場ドアが全開されるのを待たなければならない。このため、運転者が目的階を間違った場合には、その間違った目的階の乗場に乗かごが停止してから改めて正しい目的階に乗かごを向かわせるまでの時間に無駄が生じてしまう。また、要人を秘密裏に運び送る場合であって、運転者が間違った目的階の乗場に乗かごを停止させてしまった場合に、かごドアと乗場ドアが自動的に開いてしまうことで要人が関係者以外の者の目に触れられてしまうおそれがある。
【００１０】
本発明は前述の事情を考慮してなされたものであり、その目的は、かご内専用運転中に、かごドアと乗場ドアとが自動的に開くことをかご内の運転者に阻止させることができるエレベータの運転装置を提供することにある。
【課題を解決するための手段】
【００１１】
前述の目的を達成するために本発明に係るエレベータの運転装置は次のように構成されている。
【００１２】
本発明に係るエレベータの運転装置は、乗かごの乗場に設けられた乗場操作盤と、乗かご内に設けられたかご内操作盤と、前記乗場操作盤の操作による乗場呼び、および、前記かご内操作盤の操作によるかご呼びに応じて乗かごの走行と停止を行う自動運転と、前記乗場操作盤の操作による乗場呼びを無効化した状態を維持しつつ、前記かご内操作盤の操作によるかご呼びに応じて乗かごの走行と停止を行うかご内専用運転とを切り換えて行うことが可能なエレベータ制御装置とを備え、前記エレベータ制御装置は、前記自動運転中および前記かご内専用運転中の何れにおいても、乗かごを乗場に停止させたときにかごドアと乗場ドアを自動的に開閉させるエレベータの運転装置において、かごドアと乗場ドアを自動的に開く前から前記かご内操作盤の所定操作が行われた状態が維持されていることを条件に、かごドアと乗場ドアを自動的に開くことを中止し、それらかごドアと乗場ドアの閉まった状態を維持するドア制御部を有することを特徴とする。
【発明の効果】
【００１３】
本発明に係るエレベータの運転装置において、エレベータ制御装置のドア制御部は、かごドアと乗場ドアを自動的に開く前からかご内操作盤の所定操作が行われた状態であることを条件に、かごドアと乗場ドアを自動的に開くことを中止し、それらかごドアと乗場ドアの閉まった状態を維持する。これにより、本発明に係るエレベータの運転装置は、かご内専用運転中に、かごドアと乗場ドアが自動的に開くことを乗かご内の運転者に阻止させることができる。したがって、本発明に係るエレベータの運転装置は、運転者が目的階を間違った場合に、その間違った目的階の乗場に乗かごが停止してから改めて正しい目的階に乗かごを向かわせるまでの時間の無駄を少なくすることに貢献でき、また、要人を秘密裏に運び送る場合であって、運転者が間違った目的階の乗場に乗かごを停止させてしまった場合に、かごドアと乗場ドアが自動的に開いてしまうことで要人が関係者以外の者の目に触れられてしまうという事態の回避に貢献できる。
【図面の簡単な説明】
【００１４】
【図１】本発明の一実施形態に係るエレベータの運転装置の概略を示す図である。
【図２】図１に示したドア制御部により行われる処理を示すフローチャートである。
【発明を実施するための形態】
【００１５】
以下に、本発明の一実施形態に係るエレベータの運転装置について図１，図２を用いて説明する。
【００１６】
図１に示すように、本実施形態に係るエレベータの運転装置１が適用されるエレベータは、乗かご２と、この乗かご２とメインロープ６を介して結合されたカウンタウェイト３と、メインロープ６が掛け回されたシーブ４ａを駆動してメインロープ６を巻き上げる巻上機４と、図示しない昇降路に架け渡されたビームに取り付けられ、シーブ４ａとカウンタウェイト３の間に位置するメインロープ６の部分が掛け回されたプーリ５とを備える。
【００１７】
乗かご２のかごドア１０の上部には、乗かご２が乗場３０に停止した状態においてかごドア１０と乗場ドア３１とを一体的に開閉させる電動式のドア開閉装置１１が設けられている。
【００１８】
本実施形態に係る運転装置１は、かご内操作盤２０と、乗場操作盤４０と、エレベータ制御装置５０とを有する。
【００１９】
かご内操作盤２０は乗かご２内に設けられている。このかご内操作盤２０は、複数の行先階登録ボタンスイッチ２１と、ドア開ボタンスイッチ２２と、ドア閉ボタンスイッチ２３とを有する。行先階登録ボタンスイッチ２１は、ボタンを押圧操作されることによってかご呼びを行うもの、より詳細には、乗かご２の行先階を指令する行先階指令信号（電気信号）を出力するものである。ドア開ボタンスイッチ２２は、ボタンを押圧されることによってかごドア１０と乗場ドア３１を開くことを指令するドア開指令信号（電気信号）を出力するものである。ドア閉ボタンスイッチ２３は、ボタンを押圧操作されることによってかごドア１０と乗場ドア３１を閉めることを指令するドア閉指令信号（電気信号）を出力するものである。
【００２０】
かご内操作盤２０はさらに、運転方式設定スイッチ２７と、ドア閉維持ボタンスイッチ２５（本発明におけるドア閉維持入力操作部に相当するもの）と、出発ボタンスイッチ２６（本発明における出発入力操作部に相当するもの）とを有する。運転方式設定スイッチ２７は、かご内専用運転の実行を指令するかご内専用運転指令信号（電気信号）を出力する状態と、自動運転の実行を指令する自動運転指令信号（電気信号）を出力する状態とに切換操作が可能なものである。ドア閉維持ボタンスイッチ２５は、ボタンを押圧操作されることによってかごドア１０と乗場ドア３１を閉まった状態（以下適宜「閉状態」という）に維持することを指令する閉維持指令信号（電気信号）を出力するものである。出発ボタンスイッチ２６は、ボタンを押圧操作されることで、乗かご２の出発を指令する出発指令信号（電気信号）を出力するものである。これら運転方式設定スイッチ２７、ドア閉維持ボタンスイッチ２５、出発ボタンスイッチ２６は、カバー部材２４に覆われて位置する。カバー部材２４は、かご内操作盤２０に開閉自在に設けられたものであり、施錠可能なものである。
【００２１】
乗場操作盤４０は、最下階および最上階を除く中間階の乗場３０に設けられている。この乗場操作盤４０は、昇り呼びボタンスイッチ４１と、降り呼びボタンスイッチ４２とを有する。昇り呼びボタンスイッチ４１は、ボタンを押圧操作されることによって乗場呼びを行うもの、より詳細には、乗場呼びが行われた階を示すとともに、利用者が搭乗した後の乗かご２の走行方向として上昇方向を指定する昇り呼び信号（電気信号）を出力するものである。降り呼びボタンスイッチ４２は、ボタンを押圧操作されることによって乗場呼びを行うもの、より詳細には、乗場呼びが行われた階を示すとともに、利用者が搭乗した後に乗かご２の走行方向として下降方向を指定する降り呼び信号（電気信号）を出力するものである。なお、最下階の乗場には昇り呼びボタンスイッチ４１のみを有する乗場操作盤（図示省略）が設けられていて、最上階の乗場には降り呼びボタンスイッチ４２のみを有する乗場操作盤（図示省略）が設けられている。以下、昇り呼び信号および下り呼び信号を、適宜まとめて「乗場呼び信号」という。
【００２２】
前述の行先階指令信号、ドア開指令信号、ドア閉指令信号、かご内専用運転指令信号、自動運転指令信号、閉維持指令信号、出発指令信号、昇り呼び信号および降り呼び信号は、エレベータ制御装置５０に入力される。
【００２３】
エレベータ制御装置５０は、ＣＰＵ、ＲＯＭ、ＲＡＭを有する装置であり、ＲＯＭに記憶されたコンピュータプログラムにより、運転方式設定部５１、運行制御部５２およびドア制御部５３として機能する。これら運転方式設定部５１、運行制御部５２およびドア制御部５３について説明していく。
【００２４】
運転方式設定部５１は、エレベータ制御装置５０に自動運転指令信号が入力された場合に運行制御部５２のモードを自動運転モードに設定し、エレベータ制御装置５０にかご内専用運転指令信号が入力された場合に運行制御部５２のモードをかご内専用運転モードに設定する。
【００２５】
運行制御部５２は、モードを自動運転モードに設定された場合に、乗場操作盤４０の操作による乗場呼び（乗場呼び信号）、および、かご内操作盤２０の操作によるかご呼び（行先階指令信号）に応じて乗かご２を走行させたり停止させたりする自動運転を行う。
【００２６】
より詳細には、運行制御部５２は、モードを自動運転モードに設定された場合、乗場呼び信号により示される階（乗場呼びが行われた階）を乗場呼び登録階として登録するとともに、行先階指令信号により指令される行先階をかご呼び登録階として登録し、その乗場呼び登録階またはかご呼び登録階に応じて巻上機４を制御することで、その乗場呼び登録階またはかご呼び登録階に向かって乗かご２を走行させ、その乗場呼び登録階の乗場３０またはかご呼び登録階の乗場３０に乗かご２を停止させる。以下、乗場呼び登録階とかご呼び登録階を適宜まとめて「呼び登録階」という。
【００２７】
運行制御部５２は、呼び登録階を複数設定した場合、それらの呼び登録階への乗かご２の停止を、単にそれらの呼び登録階の登録順に行うのではなく、予め設定された優先順位に従って行う。その優先順位は、例えば、乗かご２の走行方向に呼び登録階が複数存在する状態において、各呼び登録階での乗かご２の停止を、その走行方向において最も近い呼び登録階の順に行う。このため、自動運転中において乗かご２は、かご呼び登録階に向かっている途中で、そのかご呼び登録階よりも後に登録された乗場呼び登録階に停止する場合がある。
【００２８】
運行制御部５２は、モードをかご内専用運転モードに設定された場合に、乗場操作盤４０の操作による乗場呼びを無効化した状態を維持しつつ、かご内操作盤２０の操作によるかご呼び（行先階指令信号）に応じて乗かご２を走行させたり停止させたりするかご内専用運転を行う。より詳細には、乗場呼び信号により示される階（乗場呼びが行われた階）を乗場呼び登録階として登録することを行わず、行先階指令信号により指令される行先階をかご呼び登録階として登録することのみ行い、そのかご呼び登録階に応じて巻上機４を制御することで、かご呼び登録階に向かって乗かご２を走行させ、そのかご呼び登録階の乗場３０に乗かご２を停止させる。
【００２９】
また、運行制御部５２は、モードをかご内専用運転モードに設定された場合に、かごドア１０と乗場ドア３１が閉まった状態であり、かつ、かご内操作盤２０の操作によりかご呼びが行われた状態において、出発ボタンスイッチ２６の押圧操作が行われた場合に、乗かご２の走行を開始する制御を巻上機４に対して行なう。なお、かごドア１０と乗場ドア３１が閉まった状態（以下適宜「閉状態」という）においては、その閉状態を示す閉状態信号がドア開閉装置１１からエレベータ制御装置５０に入力され、運行制御部５２は、閉状態信号がエレベータ制御装置５０に入力されている状態であることに基づき、かごドア１０と乗場ドア３１の状態が閉状態であることを検知する。また、運行制御部５２は、出発ボタンスイッチ２６の押圧操作が行われたことを、エレベータ制御装置５０に出発指令信号が入力されたことに基づき検知する。
【００３０】
ドア制御部５３は、エレベータ制御装置５０のＲＯＭに記憶されたコンピュータプログラムにより、ドア通常制御部５３ａおよびドア特殊制御部５３ｂとして機能する。これらドア通常制御部５３ａおよびドア特殊制御部５３ｂについて次に説明する。
【００３１】
自動運転中において、ドア通常制御部５３ａは、乗場呼び登録階またはかご呼び登録階の乗場３０に乗かご２が停止したときに、ドア開閉装置１１にかごドア１０と乗場ドア３１を自動的に開閉させる。かごドア１０と乗場ドア３１が全開された状態（以下適宜「全開状態」という）においては、その全開状態を示す全開状態信号がエレベータ制御装置５０に入力され、ドア通常制御部５３ａは、その全開状態信号がエレベータ制御装置５０に入力された状態を、かごドア１０と乗場ドア３１の状態が全開状態であることとして検知する。ドア通常制御部５３ａは、ドア開閉装置１１にかごドア１０と乗場ドア３１の開く動作を開始させた後、かごドア１０と乗場ドア３１の全開状態を検知すると、この時点から計時を開始し、全開状態となった時点からの時間が所定時間に達したか否かの判定を行う。そして、全開状態となった時点から時間が所定時間に達したと判定したタイミングで、ドア通常制御部５３ａは、ドア開閉装置１１にかごドア１０と乗場ドア３１の閉まる動作を開始させる。なお、自動運転中は、ドア制御部５３はドア特殊制御部５３ｂとして機能することはない。
【００３２】
かご内専用運転中において、ドア通常制御部５３ａは、かご呼び登録階の乗場３０に乗かご２が停止したときに、ドア閉維持ボタンスイッチ２５の押圧操作または出発ボタンスイッチ２６の押圧操作が行われた状態でないことを条件に、すなわち、閉維持指令信号または出発指令信号がエレベータ制御装置５０に入力された状態でないことを条件に、ドア開閉装置１１にかごドア１０と乗場ドア３１を自動的に開閉させる。
【００３３】
ドア特殊制御部５３ｂは、かご内専用運転中にかご呼び登録階の乗場３０に乗かご２が停止した状態において、かごドア１０と乗場ドア３１が自動的に開く前から、ドア閉維持ボタンスイッチ２５または出発ボタンスイッチ２６の押圧操作が行われた状態であることを条件に、すなわち、閉維持指令信号または出発指令信号がエレベータ制御装置５０に入力された状態であることを条件に、かごドア１０と乗場ドア３１を自動的に開くことを中止して、かごドア１０と乗場ドア３１の閉状態を維持する。また、ドア特殊制御部５３ｂは、かごドア１０と乗場ドア３１を自動的に開くことを中止した後、閉維持指令信号または出発指令信号がエレベータ制御装置５０に入力された状態が継続している間、かごドア１０と乗場ドア３１の閉状態を維持する。
【００３４】
ドア閉維持ボタンスイッチ２５の押圧操作、および、出発ボタンスイッチ２６の押圧操作は、本発明におけるかご内操作盤２０の所定操作に相当する。
【００３５】
ドア閉維持ボタンスイッチ２５から出力される閉維持指令信号は、かご内専用運転中にはドア制御部５３におけるドア特殊制御部５３ｂにより受け付けられるが、自動運転中にはそれらドア制御部５３におけるドア特殊制御部５３ｂにより受け付けられることはない。また、出発ボタンスイッチ２６から出力される出発指令信号は、かご内専用運転中には運行制御部５２およびドア制御部５３により受け付けられるが、自動運転中には運行制御部５２により受け付けられることはない。つまり、ドア閉維持ボタンスイッチ２５および出発ボタンスイッチ２６は、かご内専用運転中に限って使用されるものである。
【００３６】
ドア特殊制御部５３ｂがかごドア１０と乗場ドア３１を自動的に開くことを中止した後、閉維持指令信号または出発指令信号がエレベータ制御装置５０に入力されてない状態となった場合には、ドア特殊制御部５３ｂがドア開閉装置１１の制御を行う状態から、ドア通常制御部５３ａがドア開閉装置１１の制御を行う状態に移行し、ドア通常制御部５３ａがかごドア１０と乗場ドア３１の自動的な開閉を行う。
【００３７】
ドア制御部５３は、乗かご２が乗場３０に停止した状態において図２に示す処理を行う。この処理について次に説明する。
【００３８】
図２に示す処理は、乗かご２が乗場３０に停止したときに開始される。ステップＳ１において、ドア制御部５３は、運転方式設定部５１により設定された現在の運転方式の確認、すなわち、現在がかご内専用運転中か否かの確認を行う。かご内専用運転中でないことを確認した場合（ステップＳ１でＮＯの場合）に、すなわち自動運転中であることを確認した場合に、ドア制御部５３はルーチンをステップＳ４に進め、ドア通常制御部５３ａによる処理を開始する。そのステップＳ４において、ドア通常制御部５３ａは、かごドア１０と乗場ドア３１に開く動作を行わせる制御をドア開閉装置１１に対して行なう。
【００３９】
次にドア通常制御部５３ａはステップＳ５を繰り返す。つまり、ドア通常制御部５３ａは、かごドア１０と乗場ドア３１が全開状態となった時点からの時間を計時し、その時間が所定時間に達したか否かの判定を繰り返す。そして、かごドア１０と乗場ドア３１が全開状態となった時点からの時間が所定時間に達したと判定すると（ステップＳ５でＹＥＳ）、ドア通常制御部５３ａは、かごドア１０と乗場ドア３１に閉まる動作を行わせる制御をドア開閉装置１１に対して行ない、図２に示す処理を終了する。
【００４０】
なお、ドア通常制御部５３ａは、かごドア１０と乗場ドア３１が全開状態となった時点からの時間が所定時間に達する前に、ドア閉ボタンスイッチ２３からのドア閉指令信号がエレベータ制御装置５０に入力されたタイミングでも、かごドア１０と乗場ドア３１に閉まる動作を行わせる制御をドア開閉装置１１に対して行う。また、ステップＳ６においてかごドア１０と乗場ドア３１が閉まる方向に動作している最中、および、かごドア１０と乗場ドア３１が閉じた状態において、ドア開ボタンスイッチ２２からのドア開指令信号がエレベータ制御装置５０に入力されたタイミングで、ドア通常制御部５３ａは、かごドア１０と乗場ドア３１に開く動作を行わせる制御をドア開閉装置１１に対して行う。
【００４１】
ステップＳ１において、かご内専用運転中であることを確認した場合（ステップＳ１でＹＥＳの場合）に、ドア制御部５３はルーチンをステップＳ２に進め、このステップＳ２においてドア制御部５３は、ドア閉維持ボタンスイッチ２５または出発ボタンスイッチ２６が押圧操作された状態であるか否かを判定する。具体的には、ドア制御部５３は、ドア閉維持ボタンスイッチ２５からの閉維持指令信号がエレベータ制御装置５０に入力された状態を、ドア閉維持ボタンスイッチ２５が押圧操作された状態であると判定し、閉維持指令信号がエレベータ制御装置５０に入力されてない状態を、ドア閉維持ボタンスイッチ２５が押圧操作されてない状態と判定する。また、ドア特殊制御部５３ｂは、出発ボタンスイッチ２６からの出発指令信号がエレベータ制御装置５０に入力された状態を、出発ボタンスイッチ２６が押圧操作された状態であると判定し、出発指令信号がエレベータ制御装置５０に入力されてない状態を、出発ボタンスイッチ２６が押圧操作されてない状態であると判定する。
【００４２】
ステップＳ２においてドア制御部５３は、ドア閉維持ボタンスイッチ２５および出発ボタンスイッチ２６の何れも押圧操作されていない状態であると判定した場合（ステップＳ２でＮＯの場合）にルーチンを前述のステップＳ４に進め、前述のようにドア通常制御部５３ａにより処理を行う。これによって、かごドア１０と乗場ドア３１が自動的に開閉する。
【００４３】
一方、ステップＳ２においてドア制御部５３は、ドア閉維持ボタンスイッチ２５または出発ボタンスイッチ２６が押圧操作された状態であると判定した場合（ステップＳ２でＹＥＳの場合）に、ルーチンをステップＳ３に進め、ドア特殊制御部５３ｂによる処理を行う。そのステップＳ３においてドア特殊制御部５３ｂは、かごドア１０と乗場ドア３１の閉状態を維持する制御をドア開閉装置１１に対して行う。ステップＳ３の後、ドア特殊制御部５３ｂはルーチンをステップＳ２に戻し、このステップＳ２においてドア制御部５３は再びドア閉維持ボタンスイッチ２５または出発ボタンスイッチ２６が押圧操作された状態であるか否かを判定する。ドア閉維持ボタンスイッチ２５または出発ボタンスイッチ２６が押圧操作された状態が維持されている間、ステップＳ２，Ｓ３が繰り返され、これにより、かごドア１０と乗場ドア３１の閉状態は維持される。
【００４４】
つまり、かご内専用運転中において乗かご２がかご呼び登録階の乗場３０に停止した状態で、ルーチンがステップＳ２からステップＳ４に進められる前から、すなわち、かごドア１０と乗場ドア３１が自動的に開く前から、ドア閉維持ボタンスイッチ２５または出発ボタンスイッチ２６が押圧操作された状態が維持されていれば、かごドア１０と乗場ドア３１が自動的に開くことが中止され、それらかごドア１０と乗場ドア３１の閉状態が維持されることになる。
【００４５】
なお、ステップＳ３の後にステップＳ２においてドア制御部５３がドア閉維持ボタンスイッチ２５および出発ボタンスイッチ２６の何れも押圧操作された状態でないと判定した場合（ステップＳ３→ステップＳ２でＮＯの場合）、ドア制御部５３はルーチンをステップＳ４に進め、前述のようにドア通常制御部５３ａにより処理を行う。つまり、かごドア１０と乗場ドア３１が自動的に開くことが中止され、それらのかごドア１０と乗場ドア３１の閉まった状態が維持された後に、ドア閉維持ボタンスイッチ２５と出発ボタンスイッチ２６の状態が、ドア閉維持ボタンスイッチ２５および出発ボタンスイッチ２６の何れも押圧操作されてない状態に変化した場合には、かごドア１０と乗場ドア３１が自動的に開くことになる。
【００４６】
本実施形態に係るエレベータの運転装置１によれば次の効果を得られる。
【００４７】
本実施形態に係るエレベータの運転装置１において、エレベータ制御装置５０のドア制御部５３はドア特殊制御部５３ｂとして機能し、このドア特殊制御部５３ｂは、かごドア１０と乗場ドア３１が自動的に開く前から、かご内操作盤２０におけるドア閉維持ボタンスイッチ２５の押圧操作または出発ボタンスイッチ２６の押圧操作が行われた状態であることを条件に、かごドア１０と乗場ドア３１を自動的に開くことを中止し、それらかごドア１０と乗場ドア３１の閉状態を維持する。これにより、本実施形態に係るエレベータの運転装置１は、かご内専用運転中に、かごドア１０と乗場ドア３１が自動的に開くことを乗かご２内の運転者に阻止させることができる。したがって、本実施形態に係るエレベータの運転装置１は、運転者が目的階を間違えた場合に、その間違えた目的階の乗場３０に乗かご２が停止してから改めて正しい目的階に乗かご２を向かわせるまでの時間の無駄を少なくすることに貢献でき、また、要人を秘密裏に運び送る場合であって、運転者が間違えた目的階の乗場３０に乗かご２を停止させてしまった場合に、かごドア１０と乗場ドア３１が自動的に開いてしまうことで要人が関係者以外の者の目に触れられてしまうという事態の回避に貢献できる。
【符号の説明】
【００４８】
１  エレベータの運転装置
２  乗かご
１０  かごドア
２０  かご内操作盤
２１  行先階登録ボタンスイッチ
２２  ドア開ボタンスイッチ
２３  ドア閉ボタンスイッチ
２５  ドア閉維持ボタンスイッチ
２６  出発ボタンスイッチ
２７  運転方式設定スイッチ
３０  乗場
３１  乗場ドア
４０  乗場操作盤
４１  昇り呼びボタンスイッチ
４２  降り呼びボタンスイッチ
５０  エレベータ制御装置
５１  運転方式設定部
５２  運行制御部
５３  ドア制御部
５３ａ  ドア通常制御部
５３ｂ  ドア特殊制御部
【図１】
2014201427.tif 000003
【図２】
2014201427.tif 000004